(57)【要約】      （修正有）【課題】簡素な構成により表面全体が均一に発光する発光ボールを提供する。【解決手段】貫通孔１３が形成された中空のボール本体１０と、端面に発光部２１を有する発光装置２０と、ボール本体１０の内面に開口周縁が固定されて貫通孔１３を介して発光装置２０が収容される有底筒状の収容部３０と、貫通孔１３を封止する蓋体４０とを備える発光ボールであって、蓋体４０は、側面から環状に突出する係合部４２を備え、収容部３０は、開口近傍の内周面に形成された環状溝３５と、底部３２から外方に膨出する膨出部３３とを備えており、発光装置４０は、端面が膨出部３３の周縁に当接して発光部２１が膨出部３３に収容された状態で、環状溝３５に係合部４２を係合させた蓋体４０により押圧されて収容部３０内に保持される。【選択図】図２
0003234974.tif 000002
【実用新案登録請求の範囲】
【請求項１】
貫通孔が形成された中空のボール本体と、端面に発光部を有する発光装置と、前記ボール本体の内面に開口周縁が固定されて前記貫通孔を介して前記発光装置が収容される有底筒状の収容部と、前記貫通孔を封止する蓋体とを備える発光ボールであって、
前記蓋体は、側面から環状に突出する係合部を備え、
前記収容部は、開口近傍の内周面に形成された環状溝と、底部から外方に膨出する膨出部とを備えており、
前記発光装置は、前記端面が前記膨出部の周縁に当接して前記発光部が前記膨出部に収容された状態で、前記環状溝に前記係合部を係合させた前記蓋体により押圧されて前記収容部内に保持される発光ボール。
【請求項２】
前記ボール本体は、外側シートおよび内側シートを積層して形成されており、
前記収容部は、開口近傍の外周面にフランジ部を備え、前記外側シートと内側シートの間に前記フランジ部が挟持されている請求項１に記載の発光ボール。
【請求項３】
前記膨出部は、半球状に形成されている請求項１または２に記載の発光ボール。
【考案の詳細な説明】
【技術分野】
【０００１】
本考案は、発光ボールに関する。
【背景技術】
【０００２】
従来の発光ボールとして、例えば特許文献１に開示された発光球状体が知られている。この発光球状体は、中空のボールに内部空間と隔絶された凹穴が形成されており、この凹穴に発光装置を収容してカバーで封止することにより、内部で発光する運動用のボールとして使用することができる。発光装置は、回路基板に取り付けられた発光ダイオード等の発光体と、振動センサと、バッテリーとを備えている。
【先行技術文献】
【特許文献】
【０００３】
【特許文献１】登録実用新案第３０２５９６８号公報
【考案の概要】
【考案が解決しようとする課題】
【０００４】
上記従来の発光球状体は、凹穴に発光装置を収容する際に、回路基板の裏面側から挿入して回路基板の位置決めを行うように構成されているので、回路基板の表面側に取り付けられた発光体は、カバーの近傍に配置されて、主としてカバーに向けて発光する。このため、発光球状体の表面は、カバー近傍のみが高輝度になって発光ムラが生じ易いという問題があった。
【０００５】
そこで、本考案は、簡素な構成により表面全体が均一に発光する発光ボールの提供を目的とする。
【課題を解決するための手段】
【０００６】
本考案の前記目的は、貫通孔が形成された中空のボール本体と、端面に発光部を有する発光装置と、前記ボール本体の内面に開口周縁が固定されて前記貫通孔を介して前記発光装置が収容される有底筒状の収容部と、前記貫通孔を封止する蓋体とを備える発光ボールであって、前記蓋体は、側面から環状に突出する係合部を備え、前記収容部は、開口近傍の内周面に形成された環状溝と、底部から外方に膨出する膨出部とを備えており、前記発光装置は、前記端面が前記膨出部の周縁に当接して前記発光部が前記膨出部に収容された状態で、前記環状溝に前記係合部を係合させた前記蓋体により押圧されて前記収容部内に保持される発光ボールにより達成される。
【０００７】
この発光ボールにおいて、前記ボール本体は、外側シートおよび内側シートを積層して形成されていることが好ましく、前記収容部は、開口近傍の外周面にフランジ部を備え、前記外側シートと内側シートの間に前記フランジ部が挟持されていることが好ましい。
【０００８】
前記膨出部は、半球状に形成されていることが好ましい。
【考案の効果】
【０００９】
本考案によれば、簡素な構成により表面全体が均一に発光する発光ボールを提供することができる。
【図面の簡単な説明】
【００１０】
【図１】本考案の一実施形態に係る発光ボールの断面図である。
【図２】図１の要部拡大図である。
【図３】図２の分解図である。
【図４】本考案の他の実施形態に係る発光ボールの要部断面図である。
【考案を実施するための形態】
【００１１】
以下、本考案の一実施形態について添付図面を参照しつつ説明する。図１は、本考案の一実施形態に係る発光ボールの断面図である。図１に示すように、発光ボール１は、ボール本体１０、発光装置２０、収容部３０および蓋体４０を備えており、ボール本体１０の内部で発光装置２０を発光させることができる。
【００１２】
ボール本体１０は、中空状に形成されており、バルブ（図示せず）を介して空気を注入することができる。ボール本体１０には、発光装置２０を収容するための貫通孔１３が形成されている。ボール本体１０の用途としては、サッカーボール、バレーボール、バスケットボール、野球ボール、ゴルフボール、ラグビーボール等の球技用を好ましく例示することができるが、遊戯等に使用されるボールであってもよい。ボール本体１０の形状は、球状に限定されず、楕円球状や多面体状等であってもよい。
【００１３】
ボール本体１０は、外側シート１１および内側シート１２を積層して形成されている。外側シート１１は、例えば皮革からなる表皮層であり、内側シート１２は、例えばゴムからなるチューブ層である。ボール本体１０の材質は、内蔵する発光装置２０の発光を視認できる程度の光透過性を有するものであればよく、皮革やゴム以外に合成樹脂や繊維等であってもよい。ボール本体１０の層構造は、２層に限定されるものではなく、単層あるいは３層以上であってもよい。
【００１４】
発光装置２０は、一方側の端面にＬＥＤ等からなる発光部２１を備えている。発光部２１を有する端面は、ＬＥＤ基板２２の実装面側であり、ＬＥＤ基板２２の反対側には、振動センサ２３および電源２４が設けられている。電源２４は、例えばボタン電池を直列に接続して構成される。発光装置２０の他方側には端子２５が設けられている。振動センサ２３、電源２４および端子２５は、透明な円筒状のカバー部材２６により覆われて一体化されている。発光装置２０は、発光ボール１に作用する衝撃等を振動センサ２３が検知すると、発光部２１に一定時間通電することにより、使用中の発光状態が維持される。
【００１５】
収容部３０は、発光装置２０が収容される有底筒状の部材であり、円筒状の胴部３１と、胴部３１の一端側を覆う底部３２と、底部３２から外方に膨出する膨出部３３とを備えている。胴部３１の他端側の開口近傍は、他の部分よりも厚肉に形成されており、この厚肉部の外周面に鍔状のフランジ部３４が設けられ、厚肉部の内周面に周方向に沿って環状溝３５が形成されている。
【００１６】
ボール本体１０の内側シート１２は、貫通孔１３の周縁において、収容部３０の厚肉部と略同じ大きさで切り欠かれている。収容部３０は、フランジ部３４が外側シート１１と内側シート１２の間に接着剤等を介して挟持されることで、開口周縁がボール本体１０の内面に固定されている。収容部３０の材質は、ボール本体１０と同様の材質を例示することができ、例えばシリコーンゴム等の光透過性に優れる材質を好ましく使用することができる。
【００１７】
蓋体４０は、貫通孔１３の径と略同じ径を有する蓋本体４１と、蓋本体４１の側面から環状に突出する係合部４２とを備えている。蓋体４０は、ゴムや合成樹脂等からなる弾性体であることが好ましい。
【００１８】
上記の構成を備える発光ボール１は、図３に示すように、ボール本体１０の内面に収容部３０を固定した後、貫通孔１３を介して収容部３０に発光装置２０を収容し、発光装置２０の端面２７を膨出部３３の周縁に当接することにより、発光部２１を膨出部３３に収容する。この状態で、蓋体４０を貫通孔１３に押し込み、係合部４２を弾性変形させながら環状溝３５に係合させる。これにより、貫通孔１３が蓋体４０により面一で封止されると共に、蓋体４０が発光装置２０を底部３２に向けて押圧する状態を維持することができる。
【００１９】
本実施形態の発光ボール１は、上記の構成によって、発光装置２０の発光部２１を膨出部３３に確実に収容することができるので、発光ボール１の使用中は、図１の矢示のように、発光部２１からボール本体１０の内面全体に向けて光照射される。したがって、発光ボール１の表面全体を均一に発光させることができるので、暗闇においても発光ボール１の輪郭や大きさを明瞭に視認することが可能になり、例えば、夜間における本格的な球技に好適に使用することができる。
【００２０】
収容部３０は、本実施形態のように外側シート１１と内側シート１２の間にフランジ部３４を挟持することで、ボール本体１０の内面に確実に固定することができる。但し、ボール本体１０に対する収容部３０の固定構造は、必ずしも本実施形態に限定されるものではなく、例えば、収容部３０をボール本体１０の最内面に接着等で固定してもよい。
【００２１】
発光部２１と膨出部３３との間には、発光の拡散性を高めるために、若干の隙間が形成されていることが好ましい。膨出部３３の形状は特に限定されるものではなく、本実施形態においては円筒状の先端開口を平板で閉塞した形状としているが、図４に示すように、膨出部３３を半球状に形成してもよい。図４に示す構成によれば、膨出部３３のレンズ効果によって光拡散性を高めることができ、発光ボール１のより均一な発光を促すことができる。
【符号の説明】
【００２２】
１  発光ボール
１０  ボール本体
１１  外側シート
１２  内側シート
１３  貫通孔
２０  発光装置
２１  発光部
２７  端面
３０  収容部
３２  底部
３３  膨出部
３４  フランジ部
３５  環状溝
４０  蓋体
４２  係合部
【図１】
0003234974.tif 000003
【図２】
0003234974.tif 000004
【図３】
0003234974.tif 000005
【図４】
0003234974.tif 000006